(57)【要約】【課題】本発明は、電気コネクタに関し、従来の絶縁性ハウジングにおけるコンタクト収納部を閉蓋する蓋部材に、ロック手段が無かったことがことが課題であって、それを解決することである。【解決手段】信号線２に接続されるコンタクト３と、該コンタクトを収納する収納部４ａを有する絶縁性のハウジング４と、該ハウジングとヒンジ４ｂを介して一体に形成されて前記収納部の開口部を閉蓋する蓋部材５と、該蓋部材を閉蓋させた状態の前記ハウジング４をその接続部４ｄを除いて囲繞して電気的にシールドする金属製シェル６とで構成される電気コネクタ１であって、前記ハウジング４において、前記蓋部材が閉蓋されたときに当該蓋部材の一部に係合してこの蓋部材を閉蓋状態にロックするロック手段７を設けた電気コネクタ１とするものである。【選択図】図２
2009272156.tif 000002
【特許請求の範囲】
【請求項１】
信号線に接続されるコンタクトと、該コンタクトを収納する収納部を有する絶縁性のハウジングと、該ハウジングとヒンジを介して一体に形成されて前記収納部の開口部を閉蓋する蓋部材と、該蓋部材を閉蓋させた状態の前記ハウジングをその接続部を除いて囲繞して電気的にシールドする金属製シェルとで構成される電気コネクタであって、
前記ハウジングにおいて、前記蓋部材が閉蓋されたときに当該蓋部材の一部に係合してこの蓋部材を閉蓋状態にロックするロック手段を設けたこと、
を特徴とする電気コネクタ。
【請求項２】
ロック手段は、ハウジングの上面から立設されるとともに、その上部には蓋部材がヒンジによって回動される方向に移動すると当該蓋部材側の係止部材と互いに食い込むようにした係止爪が設けられていること、
を特徴とする請求項１に記載の電気コネクタ。
【請求項３】
ハウジングにおけるコンタクト用の収納部が二以上で併設されている場合に、その平行する収納部の間に、コンタクトを仕切る隔壁を立設させ、且つ、蓋部材側にこの隔壁に係合する嵌合部を設けたこと、
を特徴とする請求項１または２のいずれかに記載の電気コネクタ。
【発明の詳細な説明】
【技術分野】
【０００１】
本発明は、電気コネクタにおける絶縁体の構造に関し、さらに詳しくは、ケーブルを接続したコンタクトを収納部に圧入して支持する絶縁体ハウジングをシェルで囲繞させて、電気的にシールドするようにした電気コネクタにおける絶縁体の蓋部材の構造に関するものである。
【背景技術】
【０００２】
従来、コンタクトとケーブルとの接続部を絶縁体ハウジングを介して金属製シェルで囲繞して電気的にシールドしている電気コネクタにおいては、前記コンタクトを絶縁体のコンタクト収納部に収納した後に、その収納部の開口部を絶縁体の蓋部材で蓋して、当該コンタクトと前記シェルとの間に前記蓋部材を介在させるようになっている。
【０００３】
図４（Ａ），（Ｂ）に示すように、前記蓋部材１５は、ハウジング本体１６と金型で一体成形されることが多く、そのハウジング本体部１６とはヒンジ１６ａで繋がっている。この電気コネクタ１７にケーブル１８が接続された後、前記蓋部材１５が閉蓋がされて、シールド用のシェルが囲繞される。
【０００４】
図４（Ｂ），（Ｃ）に示すように、この電気コネクタ１７は、プリント基板１９に表面実装されたレセプタクルコネクタ２０に、垂直方向から接合される。近年の軽薄短小の電気・電子機器に体操して低背の電気コネクタとなっている物が知られている（特許文献１参照）。
【特許文献１】特開２００６−１６４７９１号公報
【発明の開示】
【発明が解決しようとする課題】
【０００５】
しかし、従来の電気コネクタ１７においては、前記蓋部材１５は、ハウジング本体部１６に閉蓋された後に、シェルによって囲繞されるので、これをロックする手段が無い。従って、この電気コネクタ１７の組立時においては、ケーブル１８に接続させたコンタクトをハウジング本体部１６の収納部に収納した後、蓋部材１５を閉蓋させても、閉蓋状態で係止させるロック手段がないので、前記ヒンジ１６ａの反発力でこの蓋部材１５が開いてしまうおそれがある。
【０００６】
これにより、蓋部材１５が閉じていたり開いていたりして、組み立て作業上好ましくなく、シェルを囲繞させる作業もやりにくくなる。組立作業能率が劣化することとなっている。本発明に係る電気コネクタは、このような課題を解決するために提案されたものである。
【課題を解決するための手段】
【０００７】
本発明に係る電気コネクタの上記課題を解決して目的を達成するための要旨は、信号線に接続されるコンタクトと、該コンタクトを収納する収納部を有する絶縁性のハウジングと、該ハウジングとヒンジを介して一体に形成されて前記収納部の開口部を閉蓋する蓋部材と、該蓋部材を閉蓋させた状態の前記ハウジングをその接続部を除いて囲繞して電気的にシールドする金属製シェルとで構成される電気コネクタであって、前記ハウジングにおいて、前記蓋部材が閉蓋されたときに当該蓋部材の一部に係合してこの蓋部材を閉蓋状態にロックするロック手段を設けたことである。
【０００８】
前記ロック手段は、ハウジングの上面から立設されるとともに、その上部には蓋部材がヒンジによって回動される方向に移動すると当該蓋部材側の係止部材と互いに食い込むようにした係止爪が設けられていることを含むものである。
また、ハウジングにおけるコンタクト用の収納部が二以上で併設されている場合に、その平行する収納部の間に、コンタクトを仕切る隔壁を立設させ、且つ、蓋部材側にこの隔壁に係合する嵌合部を設けたことを含むものである。
【発明の効果】
【０００９】
本発明の電気コネクタによれば、絶縁性ハウジングに、信号線を接続したコンタクトを収納部に収納して、蓋部材をその収納部の開口部に閉蓋させると、ロック手段により蓋部材が閉蓋状態に維持される。よって、ヒンジの弾性力によって、蓋部材が開口するように付勢しても、開くことがない。これにより、組立時の姿が統一されて良くなり、蓋部材が閉蓋された状態でシェルを被せる作業が容易となって、アッセンビリー作業の効率化が図れる。
また、前記ロック手段は、ハウジングの上面から立設されるとともに、その上部には蓋部材がヒンジによって回動される方向に移動すると当該蓋部材側の係止部材と互いに食い込むようにした係止爪が設けられているので、確実に食い込んで係止されるようになる。
更に、隔壁を設けることで、コンタクト同士の短絡が防止され、蓋部材のロック作用の補助にも成る。
【発明を実施するための最良の形態】
【００１０】
本発明に係る電気コネクタ１は、図１に示すように、ケーブル２等の信号線に接続されるコンタクト３と、図２に示すように、該コンタクト３を収納する収納部４ａを有する絶縁性のハウジング４と、該ハウジング４とヒンジ４ｂを介して一体に形成されて前記収納部４ａの開口部４ｃを閉蓋する蓋部材５と、前記図１に示すように、該蓋部材５を閉蓋させた状態の前記ハウジング４をその接続部４ｄを除いて囲繞して、電気的にシールドする金属製シェル６とで構成される。
【００１１】
前記ハウジング４において、前記蓋部材５が閉蓋されたときに当該蓋部材５の一部に係合してこの蓋部材５を閉蓋状態にロックするロック手段７を設ける。
【００１２】
前記ロック手段７は、ハウジング４の上面から立設されるとともに、その上部には蓋部材５がヒンジ４ｂによって回動される方向ａに移動すると、当該蓋部材側の係止部材５ａと互いに食い込むようにした係止爪７ａ，７ｂが設けられている。
【００１３】
前記係止爪７ａ，７ｂにより、組立後のヒンジ４ｂのガタ付きが無くなり、シェル６のアッセンブリー作業が容易となる。また、絶縁性ハウジング４に蓋部材５が閉蓋された状態に維持されて、外観上も見栄えが良く、蓋部材が中途半端に開いたりすることがなく、取り扱いやすくなる。
【００１４】
本発明の他の実施例は、図３に示すように、二以上で併設された収納部４ａ，４ａの間に、それぞれ収納するコンタクト３の長手方向に沿った方向に、隔壁９を設け、且つ、この隔壁９に嵌合する嵌合部８を前記蓋部材を設けたものである。
【００１５】
前記隔壁９に前記嵌合部８が嵌合して、併設するコンタクト３，３の浮き上がり時の短絡が確実に防止されるとともに、ロック手段７の補助として蓋部材５も閉蓋状態に維持される。
【図面の簡単な説明】
【００１６】
【図１】本発明に係る電気コネクタ１の側面図（Ａ）、底面図（Ｂ）、正面図（Ｃ）である。
【図２】同本発明の第１実施例の電気コネクタ１における、絶縁性ハウジング４の平面図（Ａ）、側面図（Ｂ）、底面図（Ｃ）、蓋部材５を閉蓋させた状態の側面図（Ｄ）である。
【図３】同本発明の第２実施例に係る電気コネクタにおける、絶縁性ハウジング４の平面図（Ａ）、側面図（Ｂ）、蓋部材５を閉蓋させた状態の側面図（Ｃ）である。
【図４】従来例に係る電気コネクタのハウジング１６で、平面図（Ａ）、側面図（Ｂ）、蓋部材１５を閉蓋させた状態の側面図（Ｃ）である。
【符号の説明】
【００１７】
１          電気コネクタ、
２          ケーブル、
３          コンタクト、
４          ハウジング、            ４ａ          収納部、
４ｂ        ヒンジ、                ４ｃ          開口部、
４ｄ        接続部、
５          蓋部材、                ５ａ          係止部材、
６          シェル、
７          ロック手段、            ７ａ，７ｂ    係止爪、
８          嵌合部、
９          隔壁、
１５        蓋部材、
１６        ハウジング本体部、      １６ａ        ヒンジ、
１７        電気コネクタ、
１８        ケーブル、
１９        プリント基板、
２０        レセプタクルコネクタ。
【図１】
2009272156.tif 000003
【図２】
2009272156.tif 000004
【図３】
2009272156.tif 000005
【図４】
2009272156.tif 000006